(57)【要約】本発明は、板葺きモジュールためのソーラーセル、板葺きモジュール、およびソーラーセルを製造する方法に係る。前記ソーラーセルは、ソーラーセル正面とソーラーセル背面とを備え、前記ソーラーセル正面には、複数の正面バスバーが配設されており、前記ソーラーセル背面には、複数の背面バスバーが配設されており、前記ソーラーセルは、複数のセクションを含み，各セクションは、それぞれ、その縁に位置する一つの正面バスバーと一つの背面バスバーとを含み、前記ソーラーセルの少なくとも一つのセクションの正面バスバーは、一端又は両端に延長部分を備え、前記延長部分が、前記少なくとも一つのセクションにおける前記縁と交差する他の縁に沿って延びる。前記板葺きモジュールは、前記ソーラーセルから分割されたソーラーセルのストリップによって作成される。
2021502690.tif 000002
【特許請求の範囲】
【請求項１】
ソーラーセル正面とソーラーセル背面とを備えるソーラーセルであり、前記ソーラーセル正面には、複数の正面バスバーが配設されており、前記ソーラーセル背面には、複数の背面バスバーが配設されており、
前記ソーラーセルは、複数のセクションを含み、各セクションは、それぞれ、その縁に位置する一つの正面バスバーと一つの背面バスバーとを含む、板葺きモジュールのためのソーラーセルであって、
前記ソーラーセルの少なくとも一つのセクションの正面バスバー及び/又は背面バスバーは、一端又は両端に延長部分を備え、前記延長部分が、前記少なくとも一つのセクションにおける前記縁と交差する他の縁に沿って延びる、
ことを特徴とする、板葺きモジュールのためのソーラーセル。
【請求項２】
前記ソーラーセルは面取りを備え、前記ソーラーセルの少なくとも一つの面取りを備える面取りセクションにおける正面バスバー及び/又は背面バスバーの延長部分は、前記面取りセクションの正面バスバー及び/又は背面バスバーが位置するセクションの縁と交差する、前記面取りセクションの他の縁に沿って延びる、
ことを特徴とする請求項１に記載の板葺きモジュールのためのソーラーセル。
【請求項３】
前記延長部分は、前記面取りセクションの他の縁におけるエリアの一部又はエリア全体に沿って延びる、
ことを特徴とする請求項２に記載の板葺きモジュールのためのソーラーセル。
【請求項４】
前記延長部分は、前記面取りセクションの他の縁のエリア全体に沿って延び、且つ続いて、前記面取りセクションの他の縁と隣接するもう一つの縁におけるエリアの一部又はエリア全体に沿って延びる、
ことを特徴とする請求項３に記載の板葺きモジュールのためのソーラーセル。
【請求項５】
前記延長部分は、直線であり且つ幅が漸次に変化しないもの又は直線であり且つ幅が漸次に変化するものである、
ことを特徴とする請求項１〜４のいずれか１項に記載の板葺きモジュールのためのソーラーセル。
【請求項６】
前記複数の正面バスバーは、均等に間隔を置いて前記ソーラーセル正面に配置されている、
ことを特徴とする請求項１に記載の板葺きモジュールのためのソーラーセル。
【請求項７】
前記複数の正面バスバーは、不均等に間隔を置いて前記ソーラーセル正面に配置されている、
ことを特徴とする請求項１に記載の板葺きモジュールのためのソーラーセル。
【請求項８】
前記複数の正面バスバーは、二つの隣り合う正面バスバーを含み、前記二つの隣り合う正面バスバーが、他の正面バスバーに対して前記ソーラーセルの縁に近接しない、
ことを特徴とする請求項７に記載の板葺きモジュールのためのソーラーセル。
【請求項９】
前記複数の正面バスバーは、二対の正面バスバーを含み、前記二対の正面バスバーの各々の二つの正面バスバーが隣り合い、前記二対の正面バスバーが、それぞれ前記ソーラーセルの一つの縁に近接する、
ことを特徴とする請求項７に記載の板葺きモジュールのためのソーラーセル。
【請求項１０】
前記複数の正面バスバーは、二つの隣り合う正面バスバーを含み、前記二つの隣り合う正面バスバーが、前記ソーラーセルの縁に近接する、
ことを特徴とする請求項７に記載の板葺きモジュールのためのソーラーセル。
【請求項１１】
前記複数の正面バスバーは、二対の正面バスバーを含み、前記二対の正面バスバーの各々の二つの正面バスバーが隣り合い、前記二対の正面バスバーのうち一対の正面バスバーが、前記ソーラーセルの縁に近接し、前記二対の正面バスバーのうち他対の正面バスバーが、前記ソーラーセルの縁に近接しない、
ことを特徴とする請求項７に記載の板葺きモジュールのためのソーラーセル。
【請求項１２】
前記ソーラーセルが複数のソーラーセルのストリップに分割した後に、正面バスバーが各ソーラーセルのストリップの一側の長縁およびそれに隣する短縁に寄り、背面バスバーが他側の長縁に寄るように、前記複数の背面バスバーの配置が、前記複数の正面バスバーの配置に対応する、
ことを特徴とする請求項６〜１１のいずれか１項に記載の板葺きモジュールのためのソーラーセル。
【請求項１３】
板葺きモジュールであって、
前記請求項１〜１２のいずれか１項に記載のソーラーセルから分割されたソーラーセルのストリップによって作成された、
ことを特徴とする板葺きモジュール。
【請求項１４】
板葺きモジュールためのソーラーセルを製造する方法であって、
前記方法は、
複数のバスバーを前記ソーラーセルの正面と背面に配設し、前記複数のバスバーが前記ソーラーセルを複数のセクションに分割し、各セクションがそれぞれ、その縁に位置する一つの正面バスバーと一つの背面バスバーとを含み、前記ソーラーセルの少なくとも一つのセクションのバスバーは、一端又は両端に延長部分を備え、前記延長部分が、前記少なくとも一つのセクションにおける前記縁と交差する他の縁に沿って延びる、ことを含む、
ことを特徴とする板葺きモジュールのためのソーラーセルを製造する方法。
【請求項１５】
前記ソーラーセルは面取りを備え、前記ソーラーセルの少なくとも一つの面取りを備える面取りセクションにおけるバスバーの延長部分は、前記面取りセクションのバスバーが位置する縁と交差する他の縁に沿って延びる、
ことを特徴とする請求項１４に記載の板葺きモジュールのためのソーラーセルを製造する方法。
【請求項１６】
前記延長部分は、前記面取りセクションの他の縁におけるエリアの一部又はエリア全体に沿って延びる、
ことを特徴とする請求項１５に記載の板葺きモジュールのためのソーラーセルを製造する方法。
【請求項１７】
前記延長部分は、前記面取りセクションの他の縁のエリア全体に沿って延び、且つ続いて、前記面取りセクションの他の縁と隣接するもう一つの縁におけるエリアの一部又はエリア全体に沿って延びる、
ことを特徴とする請求項１６に記載の板葺きモジュールのためのソーラーセルを製造する方法。
【請求項１８】
前記延長部分は、直線であり且つ幅が漸次に変化しないもの又は直線であり且つ幅が漸次に変化するものである、
ことを特徴とする請求項１４に記載の板葺きモジュールのためのソーラーセルを製造する方法。
【請求項１９】
前記複数の正面バスバーは、均等に間隔を置いて前記ソーラーセル正面に配置されている、
ことを特徴とする請求項１４に記載の板葺きモジュールのためのソーラーセルを製造する方法。
【請求項２０】
前記複数の正面バスバーは、不均等に間隔を置いて前記ソーラーセル正面に配置されている、
ことを特徴とする請求項１４に記載の板葺きモジュールのためのソーラーセルを製造する方法。
【請求項２１】
前記複数の正面バスバーは、二つの隣り合う正面バスバーを含み、前記二つの隣り合う正面バスバーが、他の正面バスバーに対して前記ソーラーセルの縁に近接しない、
ことを特徴とする請求項２０に記載の板葺きモジュールのためのソーラーセルを製造する方法。
【請求項２２】
前記複数の正面バスバーは、二対の正面バスバーを含み、前記二対の正面バスバーの各々の二つの正面バスバーが隣り合い、前記二対の正面バスバーが、それぞれ前記ソーラーセルの一つの縁に近接する、
ことを特徴とする請求項２０に記載の板葺きモジュールのためのソーラーセルを製造する方法。
【請求項２３】
前記複数の正面バスバーは、二つの隣り合う正面バスバーを含み、前記二つの隣り合う正面バスバーが、前記ソーラーセルの縁に近接する、
ことを特徴とする請求項２０に記載の板葺きモジュールのためのソーラーセルを製造する方法。
【請求項２４】
前記複数の正面バスバーは、二対の正面バスバーを含み、前記二対の正面バスバーの各々の二つの正面バスバーが隣り合い、前記二対の正面バスバーのうち一対の正面バスバーが、前記ソーラーセルの縁に近接し、前記二対の正面バスバーのうち他対の正面バスバーが、前記ソーラーセルの縁に近接しない、
ことを特徴とする請求項２０に記載の板葺きモジュールのためのソーラーセルを製造する方法。
【請求項２５】
一端又は両端に延長部分を備える前記ソーラーセルの少なくとも一つのセクションのバスバーは、正面バスバーである、
ことを特徴とする請求項２０〜２４のいずれか１項に記載の板葺きモジュールのためのソーラーセルを製造する方法。
【請求項２６】
一端又は両端に延長部分を備える前記ソーラーセルの少なくとも一つのセクションのバスバーは、背面バスバーである、
ことを特徴とする請求項２０〜２４のいずれか１項に記載の板葺きモジュールのためのソーラーセルを製造する方法。
【発明の詳細な説明】
【技術分野】
【０００１】
本発明は、板葺きモジュールのためのソーラーセル、板葺きモジュール、及び板葺きモジュールためのソーラーセルを製造する方法に関する。
【背景技術】
【０００２】
グロバールにおいて石炭、石油、と天然ガスなどの通常の化石エネルギーの消費速度が加速したことに従い、生存環境が悪化になりつつであり、特に温室ガスの排出が、日々厳しくなるグロバールな気候変化を導き、人類社会の持続可能な発展が、深刻な脅威となっている。世界の国々は、通常の化石エネルギーの有限性と開発利用による環境問題とに対応するために、それぞれ各自のエネルギー発展戦略を策定した。太陽エネルギーは、確実性、安全性、一般性、利用時間長期性、環境保護性、と資源充足性の特徴を持つことによって、最も重要な再生エネルギーの一種となり、未来のグロバールな電力供給の重要な支柱になることが期待できる。
【０００３】
太陽エネルギーというクリーンなエネルギーを強力的に推進と使用している背景のもと、板葺きモジュール技術は、モジュールパワーを著しく向上でき、板葺きモジュールの製造プロセスが、ソーラー電池パターン設計に対して一定な要求を提出し、通常の板葺き電池設計では、分割されたソーラーセルのストリップを使用して板葺きモジュールを作成している。ソーラー電池のバスバーに設計された流路が均等ではないため、電流収集経路が長く、板葺きモジュールを製造してエレクトロルミネセンス（EL）画像において、縁両端の画像が中間よりも暗いことがあり、最終のモジュールのパワー出力に影響を与える。
【０００４】
特に、現在、板葺きモジュールを作成する単結晶シリコンウェハは、円弧の面取りがあり、板葺き電池ストリングの相応する位置には、充足な電池―導電性接着剤―電池のような接続を有しない。ソーラーセルの縁のストリップバスバーは、有効な幅が中間よりも短く、このように面取りがあるストリップを使用して板葺きモジュールを作成すると、面取り部分において、電流収集経路が長く、抵抗が大きくて、該エリアにおけるEL結像が中間よりも暗く、モジュールのパワー出力に影響を与える。
【発明の概要】
【発明が解決しようとする課題】
【０００５】
本発明は、先行技術における欠陥を克服できるような、板葺きモジュールためのソーラーセルを提供することを目的としている。
【０００６】
前記目的は、本発明による板葺きモジュールためのソーラーセルによって実現し、前記ソーラーセルは、ソーラーセル正面とソーラーセル背面とを備え、前記ソーラーセル正面には、複数の正面バスバーが配設されており、前記ソーラーセル背面には、複数の背面バスバーが配設されており、前記ソーラーセルは、複数のセクションを含み，各セクションは、それぞれ、その縁に位置する一つの正面バスバーと一つの背面バスバーとを含み、前記ソーラーセルの少なくとも一つのセクションの正面バスバー及び／又は背面バスバーは、一端又は両端に延長部分を備え、前記延長部分が、前記少なくとも一つのセクションにおける前記縁と交差する他の縁に沿って延びる。
【０００７】
本発明は、正面バスバーを延長させ、バスバーの電流収集能力を向上したことによって、モジュールのパワーを向上した。
【０００８】
本発明に係る一つの好適な実施形態によれば、前記ソーラーセルは面取りを備え、前記ソーラーセルの少なくとも一つの面取りを備える面取りセクションにおける正面バスバー及び／又は背面バスバーの延長部分は、前記面取りセクションの正面バスバー及び／又は背面バスバーが位置するセクションの縁と交差する前記面取りセクションの他の縁に沿って延びる。例えば、正面バスバー及び／又は背面バスバーが、前記面取りセクションの面取りがない一側の長辺に沿って延びるとき、前記正面バスバー及び／又は背面バスバーが、面取りセクションにおける長縁と垂直する他の縁、つまりその短縁まで至る後、該正面バスバー及び／又は背面バスバーが、続いて短縁に沿って延びる。ここで、面取り部分のバスバーを延長させ、面取り部分におけるバスバーの電流収集能力を向上したことによって、面取り板葺きモジュールのEL結像を改善し、面取りモジュールのパワーを向上した。
【０００９】
前記延長部分は、前記面取りセクションの他の縁におけるエリアの一部又はエリア全体に沿って延びることが好ましい。
【００１０】
さらに、前記延長部分は、前記面取りセクションの他の縁のエリア全体に沿って延び、且つ続いて、前記面取りセクションの他の縁と隣接するもう一つの縁におけるエリアの一部又はエリア全体に沿って延びることが好ましい。例えば、正面バスバーが前記面取りセクションの面取りがない一側の長辺に沿って延びるとき、前記正面バスバーが、面取りセクションにおける長縁と垂直する他の縁、つまりその短縁まで至った後、該正面バスバーが、続いて短縁のエリア全体に沿って延び、且つ続いて、面取りセクションの短縁と隣接するもう一つの縁、つまり面取りの縁におけるエリアの一部又はエリア全体に沿って延びる。
【００１１】
本発明に係る一つの好適な実施形態によれば、前記延長部分は、直線であり且つ幅が漸次に変化しないもの又は直線であり且つ幅が漸次に変化するものである。
【００１２】
本発明に係る一つの好適な実施形態によれば、前記複数の正面バスバーは、均等に間隔を置いて前記ソーラーセル正面に配置されている。
【００１３】
本発明に係る一つの好適な実施形態によれば、前記複数の正面バスバーは、不均等に間隔を置いて前記ソーラーセル正面に配置されている。
【００１４】
前記複数の正面バスバーは、二つの隣り合う正面バスバーを含み、前記二つの隣り合う正面バスバーが、他の正面バスバーに対して前記ソーラーセルの縁に近接しないことが好ましい。
【００１５】
前記複数の正面バスバーは、二対の正面バスバーを含み、前記二対の正面バスバーの各々の二つの正面バスバーが隣り合い、前記二対の隣り合う正面バスバーが、それぞれ前記ソーラーセルの一つの縁に近接することが好ましい。
【００１６】
前記複数の正面バスバーは、二つの隣り合う正面バスバーを含み、前記二つの隣り合う正面バスバーが、前記ソーラーセルの縁に近接することが好ましい。
【００１７】
前記複数の正面バスバーは、二対の正面バスバーを含み、前記二対の正面バスバーの各々の二つの正面バスバーが隣り合い、前記二対の正面バスバーのうち一対の正面バスバーが、前記ソーラーセルの縁に近接し、前記二対の正面バスバーのうち他対の正面バスバーが、前記ソーラーセルの縁に近接しないことが好ましい。
【００１８】
本発明に係る一つの好適な実施形態によれば、前記ソーラーセルが複数のソーラーセルのストリップに分割した後に、正面バスバーが各ソーラーセルのストリップの一側の長縁およびそれに隣する短縁に寄り、背面バスバーが他側の長縁に寄るように、前記複数の背面バスバーの配置が、前記複数の正面バスバーの配置に対応してもよい。
【００１９】
本発明のもう一側面によれば、前記実施形態のいずれか１項に記載のソーラーセルから分割されたソーラーセルのストリップによって作成された板葺きモジュールを提供する。
【００２０】
本発明のまた一側面によれば、板葺きモジュールためのソーラーセルを製造する方法を提供して、前記方法は、複数のバスバーを前記ソーラーセルの正面と背面に配設し、前記複数のバスバーが前記ソーラーセルを複数のセクションに分割し、各セクションがそれぞれ、その縁に位置する一つの正面バスバーと一つの背面バスバーとを含み、前記ソーラーセルの少なくとも一つのセクションのバスバーは、一端又は両端に延長部分を備え、前記延長部分が、前記少なくとも一つのセクションにおける前記縁と交差する他の縁に沿って延びる、ことを含む。
【００２１】
本発明に係る一つの好適な実施形態によれば、本発明の板葺きモジュールためのソーラーセルを製造する方法において、前記ソーラーセルは面取りを備え、前記ソーラーセルの少なくとも一つの面取りを備える面取りセクションにおけるバスバーの延長部分は、前記面取りセクションにおけるバスバーが位置する縁と交差する他の縁に沿って延びる。
【００２２】
本発明の板葺きモジュールためのソーラーセルを製造する方法において、前記延長部分は、前記面取りセクションの他の縁におけるエリアの一部又はエリア全体に沿って延びることが好ましい。さらに、前記延長部分は、前記面取りセクションの他の縁のエリア全体に沿って延び、且つ続いて、前記面取りセクションの他の縁と隣接するもう一つの縁におけるエリアの一部又はエリア全体に沿って延びることが好ましい。
【００２３】
本発明に係る一つの好適な実施形態によれば、本発明の板葺きモジュールためのソーラーセルを製造する方法において、前記延長部分は、直線であり且つ幅が漸次に変化しないもの又は直線であり且つ幅が漸次に変化するものであってもよい。
【００２４】
本発明に係る一つの好適な実施形態によれば、本発明の板葺きモジュールためのソーラーセルを製造する方法において、前記複数のバスバーは、複数の正面バスバーであってもよい。その代わりに、前記複数のバスバーは、背面バスバーであってもよい。
【００２５】
本発明に係る一つの好適な実施形態によれば、本発明の板葺きモジュールためのソーラーセルを製造する方法において、前記複数の正面バスバーは、均等に間隔を置いてソーラーセル正面に配置されていてもよい。
【００２６】
本発明に係る一つの好適な実施形態によれば、本発明の板葺きモジュールためのソーラーセルを製造する方法において、前記複数の正面バスバーは、不均等に間隔を置いて前記ソーラーセル正面に配置されていてもよい。
【００２７】
本発明の板葺きモジュールためのソーラーセルを製造する方法において、前記複数の正面バスバーは、二つの隣り合う正面バスバーを含み、前記二つの隣り合う正面バスバーが、他の正面バスバーに対して前記ソーラーセルの縁に近接しないことが好ましい。
【００２８】
本発明の板葺きモジュールためのソーラーセルを製造する方法において、前記複数の正面バスバーは、二対の正面バスバーを含み、前記二対の正面バスバーの各々の二つの正面バスバーが隣り合い、前記二対の正面バスバーが、それぞれ前記ソーラーセルの一つの縁に近接することが好ましい。
【００２９】
本発明の板葺きモジュールためのソーラーセルを製造する方法において、前記複数の正面バスバーは、二つの隣り合う正面バスバーを含み、前記二つの隣り合う正面バスバーが、前記ソーラーセルの縁に近接することが好ましい。
【００３０】
本発明の板葺きモジュールためのソーラーセルを製造する方法において、前記複数の正面バスバーは、二対の正面バスバーを含み、前記二対の正面バスバーの各々の二つの正面バスバーが隣り合い、前記二対の正面バスバーのうち一対の正面バスバーが、前記ソーラーセルの縁に近接し、前記二対の正面バスバーのうち他対の正面バスバーが、前記ソーラーセルの縁に近接しないことが好ましい。
【００３１】
本発明に係る一つの好適な実施形態によれば、本発明の板葺きモジュールためのソーラーセルを製造する方法において、一端又は両端に延長部分を備える前記ソーラーセルの少なくとも一つのセクションのバスバーは、正面バスバーである。
【発明の効果】
【００３２】
本発明によれば、面取り部分のバスバーを延長させるように設計し、面取り部分におけるバスバーの電流収集能力を向上したことによって、面取り板葺きモジュールのEL結像を改善し、面取りモジュールのパワーを向上した。
【図面の簡単な説明】
【００３３】
【図１−２】図１と図２は、それぞれ上面図と下面図によって先行技術によるソーラーセルのソーラーセル正面とソーラーセル背面を示す。
【図３−４】図３と図４は、それぞれ上面図と下面図によって本発明による一つの好適な実施形態のソーラーセルのソーラーセル正面とソーラーセル背面を示す。
【図５】図５は、図３と図４におけるソーラーセルの面取りエリアを示す局部拡大図である。
【図６−７】図６と図７は、それぞれ上面図と下面図によって本発明によるもう一つの好適な実施形態のソーラーセルのソーラーセル正面とソーラーセル背面を示す。
【図８】図８は、図６と図７におけるソーラーセルの面取りエリアを示す局部拡大図である。
【図９−１０】図９と図１０は、それぞれ上面図と下面図によって本発明によるさらに一つの好適な実施形態のソーラーセルのソーラーセル正面とソーラーセル背面を示す。
【図１１−１２】図１１と図１２は、それぞれ上面図と下面図によって本発明によるまた一つの好適な実施形態のソーラーセルのソーラーセル正面とソーラーセル背面を示す。
【図１３−１４】図１３と図１４は、それぞれ上面図と下面図によって本発明によるまた一つの好適な実施形態のソーラーセルのソーラーセル正面とソーラーセル背面を示す。
【図１５−１６】図１５と図１６は、それぞれ上面図と下面図によって本発明によるまた一つの好適な実施形態のソーラーセルのソーラーセル正面とソーラーセル背面を示す。
【図１７−１８】図１７と図１８は、それぞれ上面図と下面図によって本発明によるまた一つの好適な実施形態のソーラーセルのソーラーセル正面とソーラーセル背面を示す。
【図１９−２０】図１９と図２０は、それぞれ上面図と下面図によって本発明によるまた一つの好適な実施形態のソーラーセルのソーラーセル正面とソーラーセル背面を示す。
【図２１】図２１は、本発明による板葺きモジュールためのソーラーセルを製造する方法を示すフロー図である。
【発明を実施するための形態】
【００３４】
以下、図面を参照しながら本発明の内容を説明する。また、当業者は、本発明がこれに限定されず、同等な内容も本発明の範囲に収めることを理解できる。
【００３５】
図１と図２は、それぞれ上面図と下面図によって先行技術によるソーラーセル１００のソーラーセル正面とソーラーセル背面を示す。前記ソーラーセル１００は、面取り１３１、１３２、１３３、１３４を備える。
【００３６】
前記ソーラーセル正面には、複数の正面バスバー１０１、１０２、１０３、１０４、１０５が配設されており、前記ソーラーセル背面には、複数の背面バスバー１０６、１０７、１０８、１０９、１１０が配設されており、前記ソーラーセル１００がソーラーセルのストリップに分割した後に、各ソーラーセルのストリップがそれぞれ一側に正面バスバーを備え、且つ他側に背面バスバーを備えるように、前記複数の背面バスバー１０６、１０７、１０８、１０９、１１０の配置が、前記複数の正面バスバー１０１、１０２、１０３、１０４、１０５の配置に対応する。
【００３７】
図１と図２に示されたように、前記ソーラーセル１００は五つのソーラーセルのストリップに分割でき、図１と図２に示す順に、第一ソーラーセルのストリップが正面バスバー１０１と背面バスバー１０６とを備え、第二ソーラーセルのストリップが正面バスバー１０２と背面バスバー１０７とを備え、第三ソーラーセルのストリップが正面バスバー１０３と背面バスバー１０８とを備え、第四ソーラーセルのストリップが正面バスバー１０４と背面バスバー１０９とを備え、第五ソーラーセルのストリップが正面バスバー１０５と背面バスバー１１０とを備える。特に、ソーラーセル縁の、面取りを持つソーラーセルのストリップは、バスバーの有効な幅が中間よりも短いため、それを使って板葺きモジュールを作成する時、面取り部分において、電流収集経路が長く、抵抗が大きくて、該エリアにおけるEL結像が中間よりも暗く、モジュールのパワー出力に影響を与える。
【００３８】
本発明は図１と図２の先行設計に対して改良して、バスバーの電流収集能力、特に面取り部分における電流収集能力を増大させることによって、板葺きモジュールのEL結像を改善し、板葺きモジュールのパワーを向上する。図３ないし図１２は、本発明によるソーラーセルの多数の好適な実施形態を示した。
【００３９】
図３と図４は、それぞれ上面図と下面図によって本発明による一つの好適な実施形態のソーラーセル２００のソーラーセル正面とソーラーセル背面を示す。図に示されたソーラーセル２００は、四つの稜線が面取りされた四角棒のスライスからなるので、ソーラーセル正面とソーラーセル背面から見ると、ソーラーセルは、四つの角部に面取りを持つほぼ四角形である。つまり、前記ソーラーセル２００は、面取り２２１、２２２、２２３、２２４を備える。
【００４０】
前記ソーラーセル正面には、ソーラーセル中の二つの縁と平行する複数のお互いに平行する正面バスバー２０１、２０２、２０３、２０４、２０５が配設されており、前記ソーラーセル背面には、ソーラーセル中の同じ二つの縁と平行する複数のお互いに平行する背面バスバー２０６、２０７、２０８、２０９、２１０が配設されている。前記ソーラーセルは、複数の並置きのセクション２３１、２３２、２３３、２３４、２３５を備え、各セクションが、それぞれ一つの正面バスバーと一つの背面バスバーとを含む。
【００４１】
該実施形態において、前記複数の正面バスバー２０１、２０２、２０３、２０４、２０５は、不均等に間隔を置いて前記ソーラーセル正面に配置されている。前記複数の正面バスバー２０１、２０２、２０３、２０４、２０５は、二つの隣り合う正面バスバー２０２、２０３を含み、この二つの隣り合う正面バスバーが、他の正面バスバーに対して前記ソーラーセルの縁に近接しない。本実施形態において、二つの隣り合う正面バスバー２０２、２０３は、センターに寄るセクションに位置する。しかし、本発明はこれに限定されず、他の実施形態において、前記複数の正面バスバーは、均等に間隔を置いて前記ソーラーセル正面に配置されてもよく、正面バスバーが前記ソーラーセルの縁に近接してもよい。
【００４２】
前記ソーラーセル２００が前記セクションでソーラーセルのストリップに分割した後に、各ソーラーセルのストリップがそれぞれ一側の長縁に正面バスバーを備えるとともに、他側の長縁に背面バスバーを備え、且つ少なくとも一つのソーラーセルのストリップが一側の長縁およびそれに交差する短縁に正面バスバーを備えるように、前記複数の背面バスバー２０６、２０７、２０８、２０９、２１０の配置が、前記複数の正面バスバー２０１、２０２、２０３、２０４、２０５の配置に対応する。図３と図４に示されたように、前記ソーラーセル２００は五つのソーラーセルのストリップに分割でき、図３と図４に示す順に、左から右へ、第一ソーラーセルのストリップが正面バスバー２０１と背面バスバー２０６とを備え、第二ソーラーセルのストリップが正面バスバー２０２と背面バスバー２０７とを備え、第三ソーラーセルのストリップが正面バスバー２０３と背面バスバー２０８とを備え、第四ソーラーセルのストリップが正面バスバー２０４と背面バスバー２０９とを備え、第五ソーラーセルのストリップが正面バスバー２０５と背面バスバー２１０とを備える。上記のように、前記第一〜第五ソーラーセルのストリップの各々は、ぞれぞれ一側の長縁に正面バスバーを備えるとともに、他側の長縁に背面バスバーを備え、且つ前記第一〜第五ソーラーセルのストリップにおける少なくとも一つのソーラーセルのストリップが一側の長縁およびそれに交差する短縁に正面バスバーを備え、言い換えると、長縁にはバスバーを備え、交差する短縁にはバスバーの延長部分を備える。
【００４３】
具体的に言うと、前記第一〜第五ソーラーセルのストリップにおける最も外側にある二つのソーラーセルのストリップ、つまり第一ソーラーセルのストリップと第五ソーラーセルのストリップは、面取りを備える。第一ソーラーセルのストリップは、左側の面取りセクション２３１でもあり、第五ソーラーセルのストリップは、右側の面取りセクション２３５でもある。面取りを備える左側の面取りセクション２３１における正面バスバー２０１は、面取りがない一側の長辺に沿って延び、長辺に交差する（図の中実施形態は垂直である）短辺まで至った後、該正面バスバー２０１が続いて短辺に沿って延び、つまり、バスバーの延長部分２１１を備える。図５は、ソーラーセルの面取り２２１エリアを示す局部拡大図であり、図５によって、バスバー２０１の延長部分２１１がもっと明確に観察される。図に示されたように、前記延長部分２１１は、前記面取りセクション２３１の短縁２３１-１に沿って延びる。前記延長部分２１１は、ずっと面取り２２１まで延びてもよく、又は、短縁２３１-１のエリアの一部に沿って延びて面取り２２１まで延びなくてもよい。前記延長部分２１１は、直線であり且つ幅が漸次に変化しない、つまり一定の幅を有してもよく、直線であり且つ幅が漸次に変化する、つまり変化する幅を有してもよい。
【００４４】
ソーラーセルの交差する短辺又は面取りの近くに正面バスバーの延長部分を備えるという設計によって、ソーラー電池の電流収集能力を増強させ、板葺きモジュールパワーを向上させることが実現できる。
【００４５】
類似的に、第五ソーラーセルのストリップ、つまり右側の面取りセクション２３５における正面バスバー２０５は、面取りがない一側の長辺に沿って延び、長辺に交差する（図の中実施形態は垂直である）短辺まで至った後、該正面バスバー２０５が続いて短辺に沿って延び、つまり、バスバーの延長部分を備える。前記延長部分は、右側の面取りセクション２３５の短縁に沿って延び、前記延長部分は、ずっと面取り２２２まで延びてもよく、又は、短縁のエリアの一部だけに沿って延びて面取り２２２まで延びなくてもよい。
【００４６】
もちろん、図に示された実施形態において、バスバーの延長部分は、ソーラーセルのストリップの長辺に交差する下側の短縁に位置し、当業者は、いずれ一側の短縁に、又は上下二つの交差する短縁にバスバーの延長部分を設置してもよいことを理解できる。
【００４７】
図６と図７は、それぞれ上面図と下面図によって本発明によるもう一つの好適な実施形態のソーラーセル３００のソーラーセル正面とソーラーセル背面を示す。図に示されたソーラーセル３００は、四つの稜線が面取りされた四角棒のスライスからなるので、ソーラーセル正面とソーラーセル背面から見ると、ソーラーセルは、四つの角部に面取りを持つほぼ四角形である。つまり、前記ソーラーセル３００は、面取り３２１、３２２、３２３、３２４を備える。
【００４８】
前記ソーラーセル正面には、ソーラーセル中の二つの縁と平行する複数のお互いに平行する正面バスバー３０１、３０２、３０３、３０４、３０５が配設されており、前記ソーラーセル背面には、ソーラーセル中の同じ二つの縁と平行する複数のお互いに平行する背面バスバー３０６、３０７、３０８、３０９、３１０が配設されている。前記ソーラーセルは、複数の並置きのセクション３３１、３３２、３３３、３３４、３３５を備え、各セクションが、それぞれ一つの正面バスバーと一つの背面バスバーとを含む。
【００４９】
図６と図７に示す実施形態において、前記複数の正面バスバーと前記複数の背面バスバーの配置は、図３と図４に示す実施形態と同様であるので、重複した説明を省略する。
【００５０】
面取りを備える左側の面取りセクション３３１における正面バスバー３０１は、面取りがない一側の長辺に沿って、長辺に交差する短辺まで延びた後、該正面バスバー３０１が続いて短辺に沿って延び、つまり、バスバーの延長部分３１１を備える。図８は、ソーラーセルの面取り３２１エリアを示す局部拡大図であり、図８によって、バスバー３０１の延長部分３１１がより明確に観察される。本実施形態において、前記延長部分３１１は、前記面取りセクション３３１の短縁３３１-１のエリア全体に沿って延び、そして、続いて前記面取りセクション３３１の面取りの縁３３１-２に沿って延び、前記延長部分３１１は、面取りの縁３３１-２のエリア全体に沿って延びてもよく、又は、面取りの縁３３１-２のエリアの一部に沿って延びてもよい。前記延長部分３１１は、直線であり且つ幅が漸次に変化しない、つまり一定の幅を有してもよく、直線であり且つ幅が漸次に変化する、つまり変化する幅を有してもよい。
【００５１】
ソーラーセルの他側には、面取りを備える他方の面取りセクション３３５におけるバスバー３０５が、他方の面取りセクション３３５の短縁に沿って延びる延長部分を備えてもよく、前記延長部分が、ずっと面取り３２２まで延びてもよく、又は、他方の面取りセクション３３５の短縁のエリアの一部だけに沿って延びて面取り３２２まで延びなくてもよい。さらに、バスバー３０５的延長部分は、他方の面取りセクション３３５の短縁全体に沿って延び、続いて他方の面取りセクション３３５の面取りの縁のエリアの一部又はエリア全体に沿って延びることが好ましい。
【００５２】
もちろん、図に示された実施形態において、バスバーの延長部分は、ソーラーセルのストリップの長辺に交差する下側の短縁に位置し、当業者は、いずれ一側の短縁に、又は上下二つの交差する短縁にバスバーの延長部分を設置してもよいことを理解できる。
【００５３】
図９と図１０は、それぞれ上面図と下面図によって本発明による一つの好適な実施形態のソーラーセル４００のソーラーセル正面とソーラーセル背面を示す。図に示されたソーラーセル４００は、四つの稜線が面取りされた四角棒のスライスからなるので、ソーラーセル正面とソーラーセル背面から見ると、ソーラーセルは、四つの角部に面取りを持つほぼ四角形である。つまり、前記ソーラーセル４００は、面取り４２１、４２２、４２３、４２４を備える。
【００５４】
前記ソーラーセル正面には、ソーラーセル中の二つの縁と平行する複数のお互いに平行する正面バスバー４０１、４０２、４０３、４０４、４０５が配設されており、前記ソーラーセル背面には、ソーラーセル中の同じ二つの縁と平行する複数のお互いに平行する背面バスバー４０６、４０７、４０８、４０９、４１０が配設されている。前記ソーラーセルは、複数の並置きのセクション４３１、４３２、４３３、４３４、４３５を備え、各セクションが、それぞれ一つの正面バスバーと一つの背面バスバーとを含む。
【００５５】
該実施形態において、前記複数の正面バスバー４０１、４０２、４０３、４０４、４０５は、不均等に間隔を置いて前記ソーラーセル正面に配置されている。前記複数の正面バスバー４０１、４０２、４０３、４０４、４０５は、二対の正面バスバー４０１、４０２と４０４、４０５を含み、この二対の正面バスバーの各々の二つの正面バスバーが隣り合い、この二対の正面バスバー４０１、４０２と４０４、４０５が、それぞれ前記ソーラーセルの一つの縁に近接する。しかし、本発明はこれに限定されず、他の実施形態において、前記複数の正面バスバーは、均等に間隔を置いて前記ソーラーセル正面に配置されてもよく、正面バスバーが前記ソーラーセルの縁に近接しなくてもよい。
【００５６】
前記ソーラーセル４００が前記セクションで複数のソーラーセルのストリップに分割した後に、各ソーラーセルのストリップがそれぞれ一側の長縁に正面バスバーを備えるとともに、他側の長縁に背面バスバーを備えるように、前記複数の背面バスバー４０６、４０７、４０８、４０９、４１０の配置が、前記複数の正面バスバー４０１、４０２、４０３、４０４、４０５の配置に対応する。図９と図１０に示されたように、前記ソーラーセル４００は五つのソーラーセルのストリップに分割でき、図９と図１０に示す順に、左から右へ、第一ソーラーセルのストリップが正面バスバー４０１と背面バスバー４０６とを備え、第二ソーラーセルのストリップが正面バスバー４０２と背面バスバー４０７とを備え、第三ソーラーセルのストリップが正面バスバー４０３と背面バスバー４０８とを備え、第四ソーラーセルのストリップが正面バスバー４０４と背面バスバー４０９とを備え、第五ソーラーセルのストリップが正面バスバー４０５と背面バスバー４１０とを備える。上記のように、前記第一〜第五ソーラーセルのストリップの各々は、ぞれぞれ一側の長縁に正面バスバーを備えるとともに、他側の長縁に背面バスバーが備え、且つ前記第一〜第五ソーラーセルのストリップにおける少なくとも一つのソーラーセルのストリップが一側の長縁およびそれに交差する短縁に正面バスバーを備え、言い換えると、長縁にはバスバーを備え、交差する短縁にはバスバーの延長部分を備える。
【００５７】
具体的に言うと、前記第一〜第五ソーラーセルのストリップにおける最も外側にある二つのソーラーセルのストリップ、つまり第一ソーラーセルのストリップと第五ソーラーセルのストリップは、面取りを備える。第一ソーラーセルのストリップは、左側の面取りセクション４３１でもあり、第五ソーラーセルのストリップは、右側の面取りセクション４３５でもある。面取りを備える左側の面取りセクション４３１における正面バスバー４０１は、面取りがない一側の長辺に沿って延び、長辺に交差する（図の中実施形態は垂直である）短辺まで至った後、該正面バスバー４０１が続いて短辺に沿って延び、つまり、バスバーの延長部分４１１を備える。前記延長部分４１１は、前記面取りセクション４３１の交差する短縁４３１-１に沿って面取り４２１へ延びる。前記延長部分４１１は、ずっと面取り４２１まで延びてもよく、又は、面取りセクション４３１の交差する短縁４３１-１のエリアの一部に沿って延びて面取り４２１まで延びなくてもよい。前記延長部分４１１は、直線であり且つ幅が漸次に変化しない、つまり一定の幅を有してもよく、直線であり且つ幅が漸次に変化する、つまり変化する幅を有してもよい。
【００５８】
ソーラーセルの端縁又は面取りの近くに正面バスバーの延長部分を備えるという設計によって、ソーラー電池の電流収集能力を増強させ、板葺きモジュールパワーを向上させることが実現できる。
【００５９】
類似的に、第五ソーラーセルのストリップ、つまり右側の面取りセクション４３５における正面バスバー４０５は、面取りがない一側の長辺に沿って、長辺に交差する短辺まで延びた後、該正面バスバー４０５が続いて短辺に沿って延び、つまり、バスバーの延長部分を備える。前記延長部分は、右側の面取りセクション４３５の短縁に沿って面取り４２２へ延び、前記延長部分は、ずっと面取り４２２まで延びてもよく、又は、他方の面取りセクション４３５の短縁のエリアの一部だけに沿って延びて面取り４２２まで延びなくてもよい。
【００６０】
もちろん、図に示された実施形態において、バスバーの延長部分は、ソーラーセルのストリップの長辺に交差する下側の短縁に位置し、当業者は、いずれ一側の短縁に、又は上下二つの交差する短縁にバスバーの延長部分を設置してもよいことを理解できる。
【００６１】
図１１と図１２は、それぞれ上面図と下面図によって本発明による一つの好適な実施形態のソーラーセル５００のソーラーセル正面とソーラーセル背面を示す。図に示されたソーラーセル５００は、四つの稜線が面取りされた四角棒のスライスからなるので、ソーラーセル正面とソーラーセル背面から見ると、ソーラーセルは、四つの角部に面取りを持つほぼ四角形である。つまり、前記ソーラーセル５００は、面取り５２１、５２２、５２３、５２４を備える。
【００６２】
前記ソーラーセル正面には、ソーラーセル中の二つの縁と平行する複数のお互いに平行する正面バスバー５０１、５０２、５０３、５０４、５０５が配設されており、前記ソーラーセル背面には、ソーラーセル中の同じ二つの縁と平行する複数のお互いに平行する背面バスバー５０６、５０７、５０８、５０９、５１０が配設されている。前記複数の正面バスバーと前記複数の背面バスバーの配置は、図７と図８に示す実施形態と同様であるので、重複した説明を省略する。
【００６３】
面取りを備える左側の面取りセクション５３１における正面バスバー５０１は、面取りがない一側の長辺に沿って、長辺に交差する短辺まで延びた後、該正面バスバー５０１が続いて短辺に沿って延び、つまり、バスバーの延長部分５１１を備える。前記延長部分５１１は、前記面取りセクション５３１の交差する短縁５３１-１のエリア全体に沿って延び、そして、続いて前記面取りセクション５３１の面取りの縁５３１-２に沿って延び、前記延長部分５１１は、面取りの縁５３１-２のエリア全体に沿って延びてもよく、又は、面取りの縁５３１-２のエリアの一部だけに沿って延びてもよい。前記延長部分５１１は、直線であり且つ幅が漸次に変化しない、つまり一定の幅を有してもよく、直線であり且つ幅が漸次に変化する、つまり変化する幅を有してもよい。
【００６４】
類似的に、第五ソーラーセルのストリップ、つまり右側の面取りセクション５２３における正面バスバー５０５は、面取りがない一側の長辺に沿って、長辺に交差する短辺まで延びた後、該正面バスバー５０５が続いて短辺に沿って延び、つまり、バスバーの延長部分を備える。前記延長部分が、他方の面取りセクション５２３の短縁に沿って延びてもよく、前記延長部分が、ずっと面取り５２２まで延びてもよく、又は、他方の面取りセクション５２３の短縁のエリアの一部だけに沿って延びて面取り５２２まで延びなくてもよい。さらに、バスバー５０５の延長部分は、他方の面取りセクション５２３の短縁全体に沿って延び、続いて他方の面取りセクション５２３の面取りの縁のエリアの一部又はエリア全体に沿って延びることが好ましい
【００６５】
もちろん、図に示された実施形態において、バスバーの延長部分は、ソーラーセルのストリップの長辺に交差する下側の短縁に位置し、当業者は、いずれ一側の短縁に、又は上下二つの交差する短縁にバスバーの延長部分を設置してもよいことを理解できる。
【００６６】
図１３と図１４は、それぞれ上面図と下面図によって本発明による一つの好適な実施形態のソーラーセル６００のソーラーセル正面とソーラーセル背面を示す。図に示されたソーラーセル６００は、四つの稜線が面取りされた四角棒のスライスからなるので、ソーラーセル正面とソーラーセル背面から見ると、ソーラーセルは、四つの角部に面取りを持つほぼ四角形である。つまり、前記ソーラーセル６００は、面取り６２１、６２２、６２３、６２４を備える。
【００６７】
前記ソーラーセル正面には、ソーラーセル中の二つの縁と平行する複数のお互いに平行する正面バスバー６０１、６０２、６０３、６０４、６０５が配設されており、前記ソーラーセル背面には、ソーラーセル中の同じ二つの縁と平行する複数のお互いに平行する背面バスバー６０６、６０７、６０８、６０９、６１０が配設されている。前記ソーラーセルは、複数の並置きのセクション６３１、６３２、６３３、６３４、６３５を備え、各セクションが、それぞれ一つの正面バスバーと一つの背面バスバーとを含む。
【００６８】
該実施形態において、前記複数の正面バスバー６０１、６０２、６０３、６０４、６０５は、不均等に間隔を置いて前記ソーラーセル正面に配置されている。前記複数の正面バスバー６０１、６０２、６０３、６０４、６０５は、二つの隣り合う正面バスバー６０４、６０５を含み、この二つの隣り合う正面バスバー６０４、６０５が、他の正面バスバーに対して前記ソーラーセルの縁に近接する。本実施形態において、二つの隣り合う正面バスバー６０４、６０５は、最も縁に寄るセクションに位置する。
【００６９】
前記ソーラーセル６００が前記セクションでソーラーセルのストリップに分割した後に、各ソーラーセルのストリップがそれぞれ一側の長縁に正面バスバーを備えるとともに、他側の長縁に背面バスバーを備え、且つ少なくとも一つのソーラーセルのストリップが一側の長縁およびそれに交差する短縁に正面バスバーを備えるように、前記複数の背面バスバー６０６、６０７、６０８、６０９、６１０の配置が、前記複数の正面バスバー６０１、６０２、６０３、６０４、６０５の配置に対応する。図１３と図１４に示されたように、前記ソーラーセル６００は五つのソーラーセルのストリップに分割でき、図１３と図１４に示す順に、左から右へ、第一ソーラーセルのストリップが正面バスバー６０１と背面バスバー６０６とを備え、第二ソーラーセルのストリップが正面バスバー６０２と背面バスバー６０７とを備え、第三ソーラーセルのストリップが正面バスバー６０３と背面バスバー６０８とを備え、第四ソーラーセルのストリップが正面バスバー６０４と背面バスバー６０９とを備え、第五ソーラーセルのストリップが正面バスバー６０５と背面バスバー６１０とを備える。上記のように、前記第一〜第五ソーラーセルのストリップの各々は、ぞれぞれ一側の長縁に正面バスバーを備えるとともに、他側の長縁に背面バスバーを備え、且つ前記第一〜第五ソーラーセルのストリップにおける少なくとも一つのソーラーセルのストリップが一側の長縁およびそれに交差する短縁に正面バスバーを備え、言い換えると、長縁にはバスバーを備え、交差する短縁にはバスバーの延長部分を備える。
【００７０】
具体的に言うと、前記第一〜第五ソーラーセルのストリップにおける最も外側にある二つのソーラーセルのストリップ、つまり第一ソーラーセルのストリップと第五ソーラーセルのストリップは、面取りを備える。第一ソーラーセルのストリップは、左側の面取りセクション６３１でもあり、第五ソーラーセルのストリップは、右側の面取りセクション６３５でもある。面取りを備える左側の面取りセクション６３１における正面バスバー６０１は、面取りがない一側の長辺に沿って延び、長辺に交差する（図の中実施形態は垂直である）短辺まで至った後、該正面バスバー６０１が続いて短辺に沿って延び、つまり、バスバーの延長部分６１１を備える。図に示されたように、前記延長部分６１１は、前記面取りセクション６３１の短縁６３１-１に沿って延びる。前記延長部分６１１は、ずっと面取り６２１まで延びてもよく、又は、短縁６３１-１のエリアの一部に沿って延びて面取り６２１まで延びなくてもよい。前記延長部分６１１は、直線であり且つ幅が漸次に変化しない、つまり一定の幅を有してもよく、直線であり且つ幅が漸次に変化する、つまり変化する幅を有してもよい。
【００７１】
ソーラーセルの交差する短辺又は面取りの近くに正面バスバーの延長部分を備えるという設計によって、ソーラー電池の電流収集能力を増強させ、板葺きモジュールパワーを向上させることが実現できる。
【００７２】
類似的に、第五ソーラーセルのストリップ、つまり右側の面取りセクション６３５における正面バスバー６０５は、面取りがない一側の長辺に沿って延び、長辺に交差する（図の中実施形態は垂直である）短辺まで至った後、該正面バスバー６０５が続いて短辺に沿って延び、つまり、バスバーの延長部分を備える。前記延長部分は、右側の面取りセクション６３５の短縁に沿って延び、前記延長部分は、ずっと面取り６２２まで延びてもよく、又は、短縁のエリアの一部だけに沿って延びて面取り６２２まで延びなくてもよい。
【００７３】
もちろん、図に示された実施形態において、バスバーの延長部分は、ソーラーセルのストリップの長辺に交差する下側の短縁に位置し、当業者は、いずれ一側の短縁に、又は上下二つの交差する短縁にバスバーの延長部分を設置してもよいことを理解できる。
【００７４】
図１５と図１６は、それぞれ上面図と下面図によって本発明によるもう一つの好適な実施形態のソーラーセル７００のソーラーセル正面とソーラーセル背面を示す。図に示されたソーラーセル７００は、四つの稜線が面取りされた四角棒のスライスからなるので、ソーラーセル正面とソーラーセル背面から見ると、ソーラーセルは、四つの角部に面取りを持つほぼ四角形である。つまり、前記ソーラーセル７００は、面取り７２１、７２２、７２３、７２４を備える。
【００７５】
前記ソーラーセル正面には、ソーラーセル中の二つの縁と平行する複数のお互いに平行する正面バスバー７０１、７０２、７０３、７０４、７０５が配設されており、前記ソーラーセル背面には、ソーラーセル中の同じ二つの縁と平行する複数のお互いに平行する背面バスバー７０６、７０７、７０８、７０９、７１０が配設されている。前記ソーラーセルは、複数の並置きのセクション７３１、７３２、７３３、７３４、７３５を備え、各セクションが、それぞれ一つの正面バスバーと一つの背面バスバーとを含む。
【００７６】
図１５と図１６に示す実施形態において、前記複数の正面バスバーと前記複数の背面バスバーの配置は、図１３と図１４に示す実施形態と同様であるので、重複した説明を省略する。
【００７７】
面取りを備える左側の面取りセクション７３１における正面バスバー７０１は、面取りがない一側の長辺に沿って延び、長辺に交差する（図の中実施形態は垂直である）短辺まで至った後、該正面バスバー７０１が続いて短辺に沿って延び、つまり、延長部分７１１を備える。本実施形態において、前記延長部分７１１は、前記面取りセクション７３１の短縁７３１-１のエリア全体に沿って延び、そして、続いて前記面取りセクション７３１の面取りの縁７３１-２に沿って延び、前記延長部分７１１は、面取りの縁７３１-２のエリア全体に沿って延びてもよく、又は、面取りの縁７３１-２のエリアの一部に沿って延びてもよい。前記延長部分７１１は、直線であり且つ幅が漸次に変化しない、つまり一定の幅を有してもよく、直線であり且つ幅が漸次に変化する、つまり変化する幅を有してもよい。
【００７８】
ソーラーセルの他側には、面取りを備える他方の面取りセクション７３５におけるバスバー７０５が、他方の面取りセクション７３５の短縁に沿って延びる延長部分を備えてもよく、前記延長部分が、ずっと面取り７２２まで延びてもよく、又は、他方の面取りセクション７３５の直角短縁のエリアの一部だけに沿って延びて面取り７２２まで延びなくてもよい。さらに、正面バスバー７０５的延長部分は、他方の面取りセクション７３５の短縁全体に沿って延び、続いて他方の面取りセクション７３５の面取りの縁のエリアの一部又はエリア全体に沿って延びることが好ましい。
【００７９】
図１７と図１８は、それぞれ上面図と下面図によって本発明による一つの好適な実施形態のソーラーセル８００のソーラーセル正面とソーラーセル背面を示す。図に示されたソーラーセル８００は、四つの稜線が面取りされた四角棒のスライスからなるので、ソーラーセル正面とソーラーセル背面から見ると、ソーラーセルは、四つの角部に面取りを持つほぼ四角形である。つまり、前記ソーラーセル８００は、面取り８２１、８２２、８２３、８２４を備える。
【００８０】
前記ソーラーセル正面には、ソーラーセル中の二つの縁と平行する複数のお互いに平行する正面バスバー８０１、８０２、８０３、８０４、８０５が配設されており、前記ソーラーセル背面には、ソーラーセル中の同じ二つの縁と平行する複数のお互いに平行する背面バスバー８０６、８０７、８０８、８０９、８１０が配設されている。前記ソーラーセルは、複数の並置きのセクション８３１、８３２、８３３、８３４、８３５を備え、各セクションが、それぞれ一つの正面バスバーと一つの背面バスバーとを含む。
【００８１】
該実施形態において、前記複数の正面バスバー８０１、８０２、８０３、８０４、８０５は、不均等に間隔を置いて前記ソーラーセル正面に配置されている。前記複数の正面バスバー８０１、８０２、８０３、８０４、８０５は、二対の正面バスバー８０２、８０３と８０４、８０５を含み、この二対の正面バスバーの各々の二つの正面バスバーが隣り合い、この二対の正面バスバーのうち一対の正面バスバー８０４、８０５が、前記ソーラーセルの一つの縁に近接し、他対の正面バスバー８０２、８０３が、前記ソーラーセルのいずれの縁にも近接しない。
【００８２】
前記ソーラーセル８００が前記セクションで複数のソーラーセルのストリップに分割した後に、各ソーラーセルのストリップがそれぞれ一側の長縁に正面バスバーを備えるとともに、他側の長縁に背面バスバーを備え、少なくとも一つのソーラーセルのストリップが一側の長縁およびそれに交差する短縁に正面バスバーを備えるように、前記複数の背面バスバー８０６、８０７、８０８、８０９、８１０の配置が、前記複数の正面バスバー８０１、８０２、８０３、８０４、８０５の配置に対応する。図１７と図１８に示されたように、前記ソーラーセル８００は五つのソーラーセルのストリップに分割でき、図１７と図１８に示す順に、左から右へ、第一ソーラーセルのストリップが正面バスバー８０１と背面バスバー８０６とを備え、第二ソーラーセルのストリップが正面バスバー８０２と背面バスバー８０７とを備え、第三ソーラーセルのストリップが正面バスバー８０３と背面バスバー８０８とを備え、第四ソーラーセルのストリップが正面バスバー８０４と背面バスバー８０９とを備え、第五ソーラーセルのストリップが正面バスバー８０５と背面バスバー８１０とを備える。上記のように、前記第一〜第五ソーラーセルのストリップの各々は、ぞれぞれ一側の長縁に正面バスバーを備えるとともに、他側の長縁に背面バスバーを備え、且つ前記第一〜第五ソーラーセルのストリップにおける少なくとも一つのソーラーセルのストリップが一側の長縁およびそれに交差する短縁に正面バスバーを備え、言い換えると、長縁にはバスバーを備え、交差する短縁にはバスバーの延長部分を備える。
【００８３】
具体的に言うと、前記第一〜第五ソーラーセルのストリップにおける最も外側にある二つのソーラーセルのストリップ、つまり第一ソーラーセルのストリップと第五ソーラーセルのストリップは、面取りを備える。第一ソーラーセルのストリップは、左側の面取りセクション８３１でもあり、第五ソーラーセルのストリップは、右側の面取りセクション８３５でもある。面取りを備える左側の面取りセクション８３１における正面バスバー８０１は、面取りがない一側の長辺に沿って延び、長辺に交差する（図の中実施形態は垂直である）短辺まで至った後、該正面バスバー８０１が続いて短辺に沿って延び、つまり、延長部分８１１を備える。前記延長部分８１１は、前記面取りセクション８３１の交差する短縁８３１-１に沿って面取り８２１へ延びる。前記延長部分８１１は、ずっと面取り８２１まで延びてもよく、又は、面取りセクション８３１の交差する短縁８３１-１のエリアの一部だけに沿って延びて面取り８２１まで延びなくてもよい。前記延長部分８１１は、直線であり且つ幅が漸次に変化しない、つまり一定の幅を有してもよく、直線であり且つ幅が漸次に変化する、つまり変化する幅を有してもよい。
【００８４】
ソーラーセルの交差する短辺又は面取りの近くに延長された正面バスバーを備えるという設計によって、ソーラー電池の電流収集能力を増強させ、板葺きモジュールパワーを向上させることが実現できる。
【００８５】
類似的に、第五ソーラーセルのストリップ、つまり右側の面取りセクション８３５における正面バスバー８０５は、面取りがない一側の長辺に沿って延び、長辺に交差する（図の中実施形態は垂直である）短辺まで至った後、該正面バスバー８０５が続いて短辺に沿って延び、つまり、延長部分を備える。前記延長部分は、右側の面取りセクション８３５の短縁に沿って面取り８２２へ延び、前記延長部分は、ずっと面取り８２２まで延びてもよく、又は、他方の面取りセクション８３５の短縁のエリアの一部に沿って延びて面取り８２２まで延びなくてもよい。
【００８６】
もちろん、図に示された実施形態において、バスバーの延長部分は、ソーラーセルのストリップの長辺に交差する下側の短縁に位置し、当業者は、いずれ一側の短縁に、又は上下二つの交差する短縁にバスバーの延長部分を設置してもよいことを理解できる。
【００８７】
図１９と図２０は、それぞれ上面図と下面図によって本発明による一つの好適な実施形態のソーラーセル９００のソーラーセル正面とソーラーセル背面を示す。図に示されたソーラーセル９００は、四つの稜線が面取りされた四角棒のスライスからなるので、ソーラーセル正面とソーラーセル背面から見ると、ソーラーセルは、四つの角部に面取りを持つほぼ四角形である。つまり、前記ソーラーセル９００は、面取り９２１、９２２、９２３、９２４を備える。
【００８８】
前記ソーラーセル正面には、ソーラーセル中の二つの縁と平行する複数のお互いに平行する正面バスバー９０１、９０２、９０３、９０４、９０５が配設されており、前記ソーラーセル背面には、ソーラーセル中の同じ二つの縁と平行する複数のお互いに平行する背面バスバー９０６、９０７、９０８、９０９、９１０が配設されている。前記複数の正面バスバーと前記複数の背面バスバーの配置は、図１７と図１８に示す実施形態と同様であるので、重複した説明を省略する。
【００８９】
面取りを備える左側の面取りセクション９３１における正面バスバー９０１は、面取りがない一側の長辺に沿って、長辺に交差する短辺まで延びた後、該正面バスバー９０１が続いて短辺に沿って延び、つまり、延長部分９１１を備える。前記延長部分９１１は、前記面取りセクション９３１の交差する短縁９３１-１のエリア全体に沿って延び、そして、続いて前記面取りセクション９３１の面取りの縁９３１-２に沿って延び、前記延長部分９１１は、面取りの縁９３１-２のエリア全体に沿って延びてもよく、又は、面取りの縁９３１-２のエリアの一部だけに沿って延びてもよい。前記延長部分９１１は、直線であり且つ幅が漸次に変化しない、つまり一定の幅を有してもよく、直線であり且つ幅が漸次に変化する、つまり変化する幅を有してもよい。
【００９０】
類似的に、第五ソーラーセルのストリップ、つまり右側の面取りセクション９２３における正面バスバー９０５は、面取りがない一側の長辺に沿って、長辺に交差する短辺まで延びた後、該正面バスバー９０５が続いて短辺に沿って延び、つまり、延長部分を備える。前記延長部分が、他方の面取りセクション９２３の短縁に沿って延びてもよく、前記延長部分が、ずっと面取り９２２まで延びてもよく、又は、他方の面取りセクション９２３の短縁のエリアの一部だけに沿って延びて面取り９２２まで延びなくてもよい。さらに、バスバー９０５の延長部分は、他方の面取りセクション９２３の短縁全体に沿って延び、続いて他方の面取りセクション９２３の面取りの縁のエリアの一部又はエリア全体に沿って延びることが好ましい
【００９１】
図２１は、本発明による板葺きモジュールためのソーラーセルを製造する方法を示すフロー図である。前記方法は、
前記ソーラーセル背面に複数の背面バスバーを配設する、という背面バスバーを配設するステップと、
前記ソーラーセルのソーラーセル正面に複数の正面バスバーを配設し、前記複数の正面バスバーが前記ソーラーセルを複数のセクションに分割し、正面バスバーが、図３、図６に示されたように、または図９、図１１に示されたように、または図１３、図１５に示されたように、または図１７、図１９に示されたように配設されてもよく、前記ソーラーセルの少なくとも一つのセクション、例えば、面取りを備える面取りセクションの正面バスバーが、一端又は両端に延長部分を備え、前記延長部分が、前記少なくとも一つのセクションの縁に沿って延びるという正面バスバーを配設するステップと、
前記ソーラーセルが複数のストリップに分割した後に、各ストリップの一側が正面バスバーであり、他側が背面バスバーであるように、前記複数の正面バスバーの配置を、前記複数の背面バスバーの配置に対応させるというステップと、を含む。
【００９２】
正面バスバーの延長部分は、前記面取りセクションの短縁のエリアの一部又はエリア全体に沿って延びてもよい。さらに、前記延長部分は、前記面取りセクションの短縁のエリア全体に沿って延び、そして、続いて前記面取りセクションの面取りの縁のエリアの一部又はエリア全体に沿って延びることが好ましい。前記延長部分は、直線であり且つ幅が漸次に変化しないもの又は直線であり且つ幅が漸次に変化するものであってもよい。
【００９３】
本発明の方法によれば、ソーラーセル、特に、交差する短辺又は面取りの近くにバスバーの延長部分を備えて、ソーラー電池の電流収集能力を増強させ、板葺きモジュールパワーを向上させることが実現できる。
【００９４】
当業者は、以上の内容が本発明の思想に関する好適な実施形態を詳しく説明するものであると理解でき、本発明によれば、ソーラーセル的正面及び／又は背面バスバーは、均一的に配設してもよく、又は、不均一的に配設してもよく、ソーラーセルがソーラーセルのストリップに分割した後に、ソーラーセルのストリップの各々は、ぞれぞれ一側の長縁に正面バスバーを備えるとともに、他側の長縁に背面バスバーを備え、且つ前記ソーラーセルのストリップにおける少なくとも一つのソーラーセルのストリップが一側の長縁およびそれに交差する短縁に（正面及び／又は背面）バスバーを備え、言い換えると、長縁にはバスバーを備え、交差する短縁にはバスバーの延長部分を備える。
【００９５】
本発明の保護しようとする範囲は、特許請求の範囲だけで限定される。本発明の教導によって、本発明に開示された構成を交替する構成を、実施できる交替実施形態とすることが当業者に理解されやすく、そして、本発明に開示された実施形態を組み合わせて新たな実施形態を形成してもよく、又は、本発明を他の類似する分野に応用してもよく、これらの実施形態は、もちろん添付された特許請求の範囲の保護範囲に入る。
【図１】
2021502690.tif 000003
【図２】
2021502690.tif 000004
【図３】
2021502690.tif 000005
【図４】
2021502690.tif 000006
【図５】
2021502690.tif 000007
【図６】
2021502690.tif 000008
【図７】
2021502690.tif 000009
【図８】
2021502690.tif 000010
【図９】
2021502690.tif 000011
【図１０】
2021502690.tif 000012
【図１１】
2021502690.tif 000013
【図１２】
2021502690.tif 000014
【図１３】
2021502690.tif 000015
【図１４】
2021502690.tif 000016
【図１５】
2021502690.tif 000017
【図１６】
2021502690.tif 000018
【図１７】
2021502690.tif 000019
【図１８】
2021502690.tif 000020
【図１９】
2021502690.tif 000021
【図２０】
2021502690.tif 000022
【図２１】
2021502690.tif 000023
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
ソーラーセル正面とソーラーセル背面とを備えるソーラーセルであり、前記ソーラーセル正面には、複数の正面バスバーが配設されており、前記ソーラーセル背面には、複数の背面バスバーが配設されており、
前記ソーラーセルは、複数のセクションを含み、各セクションは、それぞれ、そのセクションの縁に位置する一つの正面バスバーと一つの背面バスバーとを含む、板葺きモジュールのためのソーラーセルであって、
各正面バスバーが、本体を有し、どの本体も前記ソーラーセルの前記縁に位置しておらず、前記ソーラーセルの少なくとも一つのセクションの正面バスバー及び/又は背面バスバーは、一端又は両端に延長部分を備え、前記延長部分が、前記少なくとも一つのセクションにおける前記バスバーが位置する前記縁と交差する他の縁に沿って延びる、
ことを特徴とする、板葺きモジュールのためのソーラーセル。
【請求項２】
前記ソーラーセルは面取りを備え、前記ソーラーセルの少なくとも一つの面取りを備える面取りセクションにおける正面バスバー及び/又は背面バスバーの延長部分は、前記面取りセクションの正面バスバー及び/又は背面バスバーが位置するセクションの縁と交差する、前記面取りセクションの他の縁に沿って延びる、
ことを特徴とする請求項１に記載の板葺きモジュールのためのソーラーセル。
【請求項３】
前記延長部分は、前記面取りセクションの他の縁におけるエリアの一部又はエリア全体に沿って延びる、
ことを特徴とする請求項２に記載の板葺きモジュールのためのソーラーセル。
【請求項４】
前記延長部分は、前記面取りセクションの他の縁のエリア全体に沿って延び、且つ続いて、前記面取りセクションの他の縁と隣接するもう一つの縁におけるエリアの一部又はエリア全体に沿って延びる、
ことを特徴とする請求項３に記載の板葺きモジュールのためのソーラーセル。
【請求項５】
前記延長部分は、直線であり且つ幅が漸次に変化しないもの又は直線であり且つ幅が漸次に変化するものである、
ことを特徴とする請求項１〜４のいずれか１項に記載の板葺きモジュールのためのソーラーセル。
【請求項６】
前記複数の正面バスバーは、均等に間隔を置いて前記ソーラーセル正面に配置されている、
ことを特徴とする請求項１に記載の板葺きモジュールのためのソーラーセル。
【請求項７】
前記複数の正面バスバーは、不均等に間隔を置いて前記ソーラーセル正面に配置されている、
ことを特徴とする請求項１に記載の板葺きモジュールのためのソーラーセル。
【請求項８】
前記複数の正面バスバーは、二つの隣り合う正面バスバーを含み、前記二つの隣り合う正面バスバーが、他の正面バスバーに対して前記ソーラーセルの縁に近接しない、
ことを特徴とする請求項７に記載の板葺きモジュールのためのソーラーセル。
【請求項９】
前記複数の正面バスバーは、二対の正面バスバーを含み、前記二対の正面バスバーの各々の二つの正面バスバーが隣り合い、前記二対の正面バスバーが、それぞれ前記ソーラーセルの一つの縁に近接する、
ことを特徴とする請求項７に記載の板葺きモジュールのためのソーラーセル。
【請求項１０】
前記複数の正面バスバーは、二つの隣り合う正面バスバーを含み、前記二つの隣り合う正面バスバーが、前記ソーラーセルの縁に近接する、
ことを特徴とする請求項７に記載の板葺きモジュールのためのソーラーセル。
【請求項１１】
前記複数の正面バスバーは、二対の正面バスバーを含み、前記二対の正面バスバーの各々の二つの正面バスバーが隣り合い、前記二対の正面バスバーのうち一対の正面バスバーが、前記ソーラーセルの縁に近接し、前記二対の正面バスバーのうち他対の正面バスバーが、前記ソーラーセルの縁に近接しない、
ことを特徴とする請求項７に記載の板葺きモジュールのためのソーラーセル。
【請求項１２】
前記ソーラーセルが複数のソーラーセルのストリップに分割した後に、正面バスバーが各ソーラーセルのストリップの一側の長縁およびそれに隣する短縁に寄り、背面バスバーが他側の長縁に寄るように、前記複数の背面バスバーの配置が、前記複数の正面バスバーの配置に対応する、
ことを特徴とする請求項６〜１１のいずれか１項に記載の板葺きモジュールのためのソーラーセル。
【請求項１３】
板葺きモジュールであって、
前記請求項１〜１２のいずれか１項に記載のソーラーセルから分割されたソーラーセルのストリップによって作成された、
ことを特徴とする板葺きモジュール。
【請求項１４】
板葺きモジュールのためのソーラーセルを製造する方法であって、
前記方法は、
複数のバスバーを前記ソーラーセルの正面と背面に配設し、前記複数のバスバーが前記ソーラーセルを複数のセクションに分割し、各セクションがそれぞれ、そのセクションの縁に位置する一つの正面バスバーと一つの背面バスバーとを含み、各正面バスバーが、本体を有し、どの本体も前記ソーラーセルの前記縁に位置しておらず、前記ソーラーセルの少なくとも一つのセクションのバスバーは、一端又は両端に延長部分を備え、前記延長部分が、前記少なくとも一つのセクションにおける前記バスバーが位置する前記縁と交差する他の縁に沿って延びる、ことを含む、
ことを特徴とする、板葺きモジュールのためのソーラーセルを製造する方法。
【請求項１５】
前記ソーラーセルは面取りを備え、前記ソーラーセルの少なくとも一つの面取りを備える面取りセクションにおけるバスバーの延長部分は、前記面取りセクションのバスバーが位置する縁と交差する他の縁に沿って延びる、
ことを特徴とする請求項１４に記載の板葺きモジュールのためのソーラーセルを製造する方法。
【請求項１６】
前記延長部分は、前記面取りセクションの他の縁におけるエリアの一部又はエリア全体に沿って延びる、
ことを特徴とする請求項１５に記載の板葺きモジュールのためのソーラーセルを製造する方法。
【請求項１７】
前記延長部分は、前記面取りセクションの他の縁のエリア全体に沿って延び、且つ続いて、前記面取りセクションの他の縁と隣接するもう一つの縁におけるエリアの一部又はエリア全体に沿って延びる、
ことを特徴とする請求項１６に記載の板葺きモジュールのためのソーラーセルを製造する方法。
【請求項１８】
前記延長部分は、直線であり且つ幅が漸次に変化しないもの又は直線であり且つ幅が漸次に変化するものである、
ことを特徴とする請求項１４に記載の板葺きモジュールのためのソーラーセルを製造する方法。
【請求項１９】
前記複数の正面バスバーは、均等に間隔を置いて前記ソーラーセル正面に配置されている、
ことを特徴とする請求項１４に記載の板葺きモジュールのためのソーラーセルを製造する方法。
【請求項２０】
前記複数の正面バスバーは、不均等に間隔を置いて前記ソーラーセル正面に配置されている、
ことを特徴とする請求項１４に記載の板葺きモジュールのためのソーラーセルを製造する方法。
【請求項２１】
前記複数の正面バスバーは、二つの隣り合う正面バスバーを含み、前記二つの隣り合う正面バスバーが、他の正面バスバーに対して前記ソーラーセルの縁に近接しない、
ことを特徴とする請求項２０に記載の板葺きモジュールのためのソーラーセルを製造する方法。
【請求項２２】
前記複数の正面バスバーは、二対の正面バスバーを含み、前記二対の正面バスバーの各々の二つの正面バスバーが隣り合い、前記二対の正面バスバーが、それぞれ前記ソーラーセルの一つの縁に近接する、
ことを特徴とする請求項２０に記載の板葺きモジュールのためのソーラーセルを製造する方法。
【請求項２３】
前記複数の正面バスバーは、二つの隣り合う正面バスバーを含み、前記二つの隣り合う正面バスバーが、前記ソーラーセルの縁に近接する、
ことを特徴とする請求項２０に記載の板葺きモジュールのためのソーラーセルを製造する方法。
【請求項２４】
前記複数の正面バスバーは、二対の正面バスバーを含み、前記二対の正面バスバーの各々の二つの正面バスバーが隣り合い、前記二対の正面バスバーのうち一対の正面バスバーが、前記ソーラーセルの縁に近接し、前記二対の正面バスバーのうち他対の正面バスバーが、前記ソーラーセルの縁に近接しない、
ことを特徴とする請求項２０に記載の板葺きモジュールのためのソーラーセルを製造する方法。
【請求項２５】
一端又は両端に延長部分を備える前記ソーラーセルの少なくとも一つのセクションのバスバーは、正面バスバーである、
ことを特徴とする請求項２０〜２４のいずれか１項に記載の板葺きモジュールのためのソーラーセルを製造する方法。
【請求項２６】
一端又は両端に延長部分を備える前記ソーラーセルの少なくとも一つのセクションのバスバーは、背面バスバーである、
ことを特徴とする請求項２０〜２４のいずれか１項に記載の板葺きモジュールのためのソーラーセルを製造する方法。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
正面と背面とを備えるソーラーセルであり、前記正面には、複数の正面バスバーが配設されており、前記背面には、複数の背面バスバーが配設されており、
前記ソーラーセルは、複数のセクションを含み、各セクションは、それぞれ、前記セクションの縁に位置する一つの正面バスバーと一つの背面バスバーとを含む、板葺きソーラーセルモジュールのためのソーラーセルであって、
各正面バスバーが本体を有し、かつ前記ソーラーセルの縁に本体は位置せず、
前記ソーラーセルの少なくとも一つのセクションの正面バスバーは、その一端又は両端に延長部分を備え、前記延長部分が、前記正面バスバーが位置する前記縁と交差する前記少なくとも一つのセクションの他の縁に沿って延び、
前記ソーラーセルは面取りを備え、前記ソーラーセルの少なくとも一つの面取りセクションの正面バスバーの延長部分は、前記正面バスバーが位置する前記セクションの縁と交差する、前記面取りセクションの他の縁に沿って延び、
前記延長部分は、前記面取りセクションの他の縁のエリア全体に沿って延び、且つ、前記他の縁と隣接する前記面取りセクションのもう一つの縁におけるエリアの一部又はエリア全体に沿って延び続ける、
前記板葺きソーラーモジュールのためのソーラーセル。
【請求項２】
前記延長部分は、直線であり且つ幅が漸次に変化しないもの、又は直線であり且つ幅が漸次に変化するものである、
ことを特徴とする請求項１に記載のソーラーセル。
【請求項３】
前記複数の正面バスバーは、均等に間隔を置いて前記正面に配置されている、
ことを特徴とする請求項１に記載のソーラーセル。
【請求項４】
前記複数の正面バスバーは、不均等に間隔を置いて前記正面に配置されている、
ことを特徴とする請求項１に記載のソーラーセル。
【請求項５】
前記複数の正面バスバーは、隣り合う二つの正面バスバーを含み、前記二つの正面バスバーが、他の正面バスバーに対して前記ソーラーセルの縁に近接しない、
ことを特徴とする請求項４に記載のソーラーセル。
【請求項６】
前記複数の正面バスバーは、二対の正面バスバーを含み、前記二対の正面バスバーの各々の対の二つの正面バスバーが隣り合い、前記二対の正面バスバーが、それぞれ前記ソーラーセルの一つの縁に近接する、
ことを特徴とする請求項４に記載のソーラーセル。
【請求項７】
前記複数の正面バスバーは、隣り合う二つの正面バスバーを含み、前記二つの正面バスバーが、前記ソーラーセルの縁に近接する、
ことを特徴とする請求項４に記載のソーラーセル。
【請求項８】
前記複数の正面バスバーは、二対の正面バスバーを含み、前記二対の正面バスバーの各々の対の二つの正面バスバーが隣り合い、前記二対の正面バスバーのうち一対の正面バスバーが、前記ソーラーセルの縁に近接し、前記二対の正面バスバーのうち他方の対の正面バスバーが、前記ソーラーセルの縁に近接しない、
ことを特徴とする請求項４に記載のソーラーセル。
【請求項９】
前記ソーラーセルが複数のソーラーセルのストリップに分割した後に、正面バスバーが対応するソーラーセルのストリップの一側の長縁およびそれに隣する短縁と隣り合い、背面バスバーが他側の長縁と隣り合うように、前記複数の背面バスバーの配置が、前記複数の正面バスバーの配置に対応する、
ことを特徴とする請求項３に記載のソーラーセル。
【請求項１０】
前記請求項１〜９のいずれか１項に記載のソーラーセルから分割されたソーラーセルのストリップによって作製された、
ことを特徴とする、板葺きソーラーセルモジュール。
【請求項１１】
板葺きソーラーセルモジュールのためのソーラーセルを作製する方法であって、
前記方法は、
複数のバスバーを正面と背面に配設し、前記複数のバスバーが前記ソーラーセルを複数のセクションに分割し、各セクションが、前記セクションの縁に位置する一つの正面バスバーと一つの背面バスバーとを含み、各正面バスバーは本体を有し、前記ソーラーセルの縁に本体は位置せず、前記ソーラーセルの少なくとも一つのセクションの正面バスバーは、その一端又は両端に延長部分を備え、前記延長部分が、前記正面バスバーが位置する前記縁と交差する前記少なくとも一つのセクションの他の縁に沿って延びる、ことを含み、
前記ソーラーセルは面取りを備え、前記面取りを備えるソーラーセルの少なくとも一つの面取りセクションの正面バスバーの延長部分は、前記正面バスバーが位置する縁と交差する前記面取りセクションの他の縁に沿って延び、
前記延長部分は、前記面取りセクションの他の縁のエリア全体に沿って延び、且つ、前記他の縁と隣接する前記面取りセクションのもう一つの縁におけるエリアの一部又はエリア全体に沿って延び続ける、
ことを特徴とする、前記方法。
【請求項１２】
前記延長部分は、直線であり且つ幅が漸次に変化しないもの、又は直線であり且つ幅が漸次に変化するものである、
ことを特徴とする請求項１１に記載の方法。
【請求項１３】
前記複数の正面バスバーは、均等に間隔を置いて前記正面に配置されている、
ことを特徴とする請求項１１に記載の方法。
【請求項１４】
前記複数の正面バスバーは、不均等に間隔を置いて前記正面に配置されている、
ことを特徴とする請求項１１に記載の方法。
【請求項１５】
前記複数の正面バスバーは、隣り合う二つの正面バスバーを含み、前記二つの正面バスバーが、他の正面バスバーに対して前記ソーラーセルの縁に近接しない、
ことを特徴とする請求項１４に記載の方法。
【請求項１６】
前記複数の正面バスバーは、二対の正面バスバーを含み、前記二対の正面バスバーの各々の対の二つの正面バスバーが隣り合い、前記二対の正面バスバーが、それぞれ前記ソーラーセルの一つの縁に近接する、
ことを特徴とする請求項１４に記載の方法。
【請求項１７】
前記複数の正面バスバーは、隣り合う二つの正面バスバーを含み、前記二つの正面バスバーが、前記ソーラーセルの縁に近接する、
ことを特徴とする請求項１４に記載の方法。
【請求項１８】
前記複数の正面バスバーは、二対の正面バスバーを含み、前記二対の正面バスバーの各々の対の二つの正面バスバーが隣り合い、前記二対の正面バスバーのうち一対の正面バスバーが、前記ソーラーセルの縁に近接し、前記二対の正面バスバーのうち他方の対の正面バスバーが、前記ソーラーセルの縁に近接しない、
ことを特徴とする請求項１４に記載の方法。
【国際調査報告】
2021502690.tif 000024
2021502690.tif 000025
2021502690.tif 000026
2021502690.tif 000027